【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
CPUとメモリを備えた主装置と、入出力装置と、ネットワークとを備え、
前記ネットワーク上の前記入出力装置と接続先通信相手装置との間で音声の送受信を可能とする通信システムにおいて、
前記主装置は、呼接続のための呼制御手段と、前記入出力装置とのリモートコントロール通信手段を備え、
前記入出力装置は、前記主装置との間で情報を授受するリモートコントロール通信手段と、前記接続先通信相手装置との間で音声および／または映像送受信をする制御手段を備え、
前記入出力装置に入力情報を入力したとき、
前記入出力装置が、該入力情報を、前記リモートコントロール通信手段を用いて、前記主装置に送信し、
前記主装置の前記呼制御手段が、前記接続先通信相手装置に対し呼制御し、これをもって前記入出力装置と前記接続先通信相手装置との通信路を形成し、
前記入出力装置の制御手段が、前記入出力端末と前記接続先通信相手装置との間での音声又は映像情報の送受信を、前記主装置を介さずに前記ネットワークを含む前記通信路を通して可能とすることを特徴とする通信システム。
【請求項２】
前記主装置がデータ及び該データを作成するデータ作成プログラムを管理するサーバであり、
前記入出力装置がリモートコントロールに基づき前記データを作成するためのキー又はマウス入力情報を前記サーバに送信し、また前記サーバのデータを受信するリモートコントロール部と、前記データを表示する表示部と、前記呼制御手段による前記呼接続を可能とする制御情報を入力する入力部と、前記呼制御に基づき前記音声又は映像の情報を、前記ネットワークを通して前記接続先通信相手装置に通信する音声パケット通信部とを含む端末であり、
前記接続先通信装置が前記音声又は映像の情報を通信する電話端末又はテレビ会議端末からなる、
請求項１記載の通信システム。
【請求項３】
前記入出力装置がキー入力および／またはマウス入力を前記サーバに通知し、該サーバの処理結果を受信して画面表示するシンクライアント端末であり、
前記サーバが前記シンクライアント端末からのキー入力又はマウス入力の入力情報に基づき処理を実行し、前記処理結果を前記入出力装置に送信するリモートコントロール部を持つシンクライアントサーバであり、
前記接続先通信相手装置が電話端末又はテレビ会議端末であり、
前記ネットワークが前記シンクライアント端末と前記シンクライアントサーバと前記電話端末又はテレビ会議端末を結合するネットワークから構成される、
請求項１記載の通信システム。
【請求項４】
CPUとメモリを備えた主装置と、入出力装置と、ネットワークとを備え、
前記ネットワーク上の前記入出力装置と接続先通信相手装置との間で音声の送受信を可能とする通信システムにおいて、
前記主装置は、呼接続のための呼制御手段と、前記入出力装置とのリモートコントロール通信手段を備え、
前記入出力装置は、前記主装置のとの間で情報を授受するリモートコントロール通信手段と、前記接続先通信相手装置との間で音声情報の送受信をする制御手段を備え、
前記主装置の呼制御手段が、前記接続先通信相手装置からの呼接続要求を受けたとき、
前記主装置が、前記リモートコントロール通信手段を通して前記入出力装置に着信を通知し、
前記入出力装置が、前記リモートコントロール通信手段を通して着信通知を受けたとき、
前記主装置の前記呼制御手段が、前記接続先通信相手装置を前記入出力装置に呼接続し、これをもって前記入出力装置と前記接続先通信相手装置との通信路を形成し、
これにより、前記入出力端末と前記接続先通信相手装置との間での音声および／または映像の送受信を、前記主装置を介さずに前記ネットワークを含む前記通信路を通して可能とすることを特徴とする通信システム。
【請求項５】
前記主装置がデータ及び該データを作成するデータ作成プログラムを管理するサーバであり、
前記入出力装置がリモートコントロールに基づき前記データを作成するためのキー又はマウス入力情報を前記サーバに送信し、また前記サーバのデータを受信するリモートコントロール部と、前記データを表示する表示部と、着信を受けて着信応答をする入力部と、前記呼制御に基づき前記音声および／または映像を、前記ネットワークを通して前記接続先通信相手装置に通信する音声パケット通信部とを含む端末であり、
前記接続先通信装置が前記音声および／または映像を通信する電話端末又はテレビ会議端末からなる、
請求項４記載の通信システム。
【請求項６】
前記入出力装置がキー入力および／またはマウス入力を前記サーバに通知し、該サーバの処理結果を受信して画面表示するシンクライアント端末であり、
前記サーバの前記呼制御手段が、通信相手装置からの呼接続要求に基づき前記シンクライアント端末に着信を通知し、前記シンクライアント端末からの着信応答を受信するリモートコントロール部を持つシンクライアントサーバであり、
前記接続先通信相手装置が電話端末又はテレビ会議端末であり、
前記ネットワークが前記シンクライアント端末と前記シンクライアントサーバと前記電話端末又はテレビ会議端末を結合するネットワークから構成される、
請求項４記載の通信システム。
【請求項７】
ＣＰＵ、メモリを含む主装置と、入力情報、音声の入力部を含む入出力装置と、前記主装置と前記入出力装置とを接続するネットワークとからなり、前記ネットワーク上の前記入出力装置と接続先相手装置との間で前記音声の送受信を可能とするネットワーク通信システムにおいて、
前記主装置は、第１のアドレスを有し、前記入出力装置の入力部からの入力情報に基づき該入出力装置を前記接続先相手装置に呼接続する呼制御手段を備え、
前記入出力装置は、第２のアドレスを有し、前記入力情報を前記ネットワークを通して前記呼制御手段を含む主装置に送信し、該主装置のＣＰＵで演算された情報を前記ネットワークを通して受信する入出力装置であって、また該入出力装置に前記音声および／または画像の情報が入力されたとき、該情報を前記ネットワークを通して第３のアドレスを有する前記接続先相手装置に送信する情報制御手段を備え、
前記入出力装置が、入力情報を、前記ネットワークを通して前記呼制御手段を含む主装置に送信したとき、該主装置の前記呼制御手段が、前記入出力装置を前記接続相手先装置に呼接続し、
前記入出力装置の情報制御手段が、前記呼接続により前記入出力装置の情報が前記ネットワークを通して前記接続先相手装置に送信可能な状態になったとき、前記入出力装置の音声および／または画像を、前記呼制御手段を含む主装置を介さずに前記接続先相手装置に送信することを特徴とする
ネットワーク通信システム。
【請求項８】
前記呼制御手段を含む主装置がサーバであり、前記接続先相手装置が電話端末、テレビ電話端末、テレビ会議端末の何れかである請求項７の記載のネットワーク通信システム。
【請求項９】
前記呼制御手段を含む主装置は、前記入出力装置から前記入力情報を受けたとき、該入出力装置の第２のアドレスを前記接続先相手装置に前記ネットワークを通して送信し、前記接続先相手装置から第３のアドレスを受けたとき、該接続先相手装置の第３のアドレスを前記入出力装置に前記ネットワークを通して送信するリモートコントロール部を備え、
前記入出力装置と前記接続先相手装置が前記第２、第３のアドレスを取得したとき、前記ネットワークをもって前記入出力装置と前記接続先相手装置との間に音声および／または画像の通信を可能とする通信路を構成する
請求項７記載のネットワーク通信システム。
【請求項１０】
ＣＰＵとメモリを備えた主装置と、入力情報、音声の入力部を含む入出力装置と、前記主装置と前記入出力装置とを接続するネットワークとからなり、前記ネットワーク上の前記入出力装置と接続先相手装置との間で前記音声および／または画像の送受信を可能とするネットワーク通信システムにおいて、
前記主装置は、第１のアドレスを有し、前記接続先相手装置からの呼び出しに基づき該接続先相手装置を前記入出力装置に接続する呼制御手段を備え、
前記入出力装置は、第２のアドレスを有し、前記入力情報を前記ネットワークを通して前記呼制御手段を含む主装置に送信し、前記ＣＰＵで演算された情報を前記ネットワークを通して受信する入出力装置であって、また該入出力装置に前記音声および／または画像が入力されたとき、該音声および／または画像を前記ネットワークを通して前記接続先相手装置に送信する情報制御手段を備え、
前記呼制御手段を含む主装置が、第３のアドレスを有する前記接続先相手装置から前記入出力装置の呼び出しを、前記ネットワークを通して受けたとき、前記主装置の呼制御手段をもって前記接続先相手装置を前記入出力装置に呼接続し、
前記呼接続により前記接続先相手装置の音声および／または画像が前記入出力装置に前記ネットワークを通して送信可能な状態になったとき、前記接続先相手装置が、前記接続先相手装置の音声および／または画像を、前記入出力装置に前記呼制御手段を含む装置を介さずに送信することを特徴とする
ネットワーク通信システム。
【請求項１１】
前記呼制御手段を含む主装置は、前記接続先相手装置から呼接続要求があったとき、該接続先相手装置の第３のアドレスを前記入出力装置に前記ネットワークを通して送信し、前記入出力装置から第２のアドレスを受けたとき、該入出力装置の第２のアドレスを前記接続先相手装置に前記ネットワークを送信するリモートコントロール部を備え、
前記入出力装置と前記接続先相手装置が前記第２、第３のアドレスを取得したとき、前記ネットワークをもって前記入出力装置と前記接続先相手装置との間に音声および／または画像の通信を可能とする通信路を構成する
請求項１０記載のネットワーク通信システム。
【請求項１２】
サーバと、
前記サーバを遠隔操作し、該サーバとの間で入力情報、該サーバでの処理情報のやりとりを実行し、該サーバからの情報を受信し表示する入出力端末と、
前記サーバと前記入出力端末とを結合するネットワークと
から構成される通信システムにおいて、
前記サーバに前記入出力端末と前記ネットワークに接続される通信端末間の呼接続を行なう呼制御手段を設け、
前記サーバの呼制御手段が前記入出力端末又は前記通信端末からの呼接続操作に基づき前記入出力端末と前記通信端末間の呼接続を確立し、該呼接続確立をもって前記入出力端末と前記通信端末間の前記音声および／または映像の通信が前記ネットワークを通して可能状態になったとき、
前記入出力端末と前記通信端末間の音声および／または映像の情報通信を、前記サーバを介さずに実行することを特徴とする通信システム。
【請求項１３】
前記サーバがデータ及び該データを作成するデータ作成プログラムを管理するサーバであり、
前記入出力端末が前記遠隔操作に基づき前記データを作成するためのキー又はマウス入力情報を前記サーバに遠隔送信し、また前記サーバのデータを遠隔受信するリモートコントロール部と、前記データを表示する表示部と、前記呼制御手段による前記呼接続を可能とする制御情報を入力する呼制御情報入力部と、前記呼接続に基づき前記音声又は映像の情報を、前記ネットワークを通して前記通信端末に通信する音声パケット通信部とを含む端末であり、
前記通信端末が前記音声および／または映像を通信する電話端末又はテレビ会議端末からなる、
請求項１２記載の通信システム。
【請求項１４】
前記入出力端末がキー入力および／またはマウス入力を前記主装置に通知し、該主装置の処理結果を受信して画面表示する遠隔操作手段を持つシンクライアント端末であり、
前記主装置が前記シンクライアント端末からのキー入力および／またはマウス入力の入力情報に基づき処理を実行し、前記処理データを前記入出力端末に送信する遠隔操作手段を持つシンクライアントサーバであり、
前記通信端末が電話端末又はテレビ会議端末であり、
前記ネットワークが前記シンクライアント端末と前記シンクライアントサーバと前記電話端末又はテレビ会議端末を結合するネットワークから構成される、
請求項１０記載の通信システム。
方法の上位概念
【請求項１５】
CPUとメモリを備えた主装置と、入出力装置と、ネットワークとを備え、
前記ネットワーク上の前記入出力装置と接続先通信相手装置との間で音声および／または映像の送受信を可能とする通信制御方法において、
前記主装置は、呼接続のための呼制御手段と、前記入出力装置とのリモートコントロール通信手段を備え、
前記入出力装置は、第１のアドレスが付与されており、前記主装置のリモートコントロール通信手段との間で情報を授受するリモートコントロール通信手段と、第２のアドレスが付与されている前記接続先通信相手装置との間で音声および／または映像の送受信をする制御手段を備え、
前記入出力装置に入力情報を入力したとき、該入力情報を、前記リモートコントロール通信手段を用いて、前記主装置に通知するステップと、
前記主装置が、該入力情報を受けたとき、前記呼制御手段を用いて、前記接続先通信相手装置に呼接続要求するステップと、
前記接続先通信相手装置が該呼接続要求に応答したとき、前記入出力装置の第１のアドレスを前記接続先通信相手装置に前記呼制御手段を用いて通知し、前記接続先通信相手装置の第２のアドレスを前記入出力装置に前記リモートコントロール通信手段を用いて通知し、双方の装置に音声および／または映像の送受信を開始させるステップとからなり、
これらのステップをもって、前記入出力装置と前記接続先通信相手装置との間での音声および／または映像の送受信を、前記主装置を介さずに可能とすることを特徴とする通信制御方法。
【請求項１６】
CPUとメモリを備えた主装置と、入出力装置と、ネットワークとを備え、
前記ネットワーク上の前記入出力装置と接続先通信相手装置との間で音声および／または映像の送受信を可能とする通信制御方法において、
前記主装置は、呼接続のための呼制御手段と、前記入出力装置とのリモートコントロール通信手段を備え、
前記入出力装置は、第１のアドレスが付与されており、前記主装置のリモートコントロール通信手段との間で情報を授受するリモートコントロール通信手段と、第２のアドレスが付与されている前記接続先通信相手装置との間で音声および／または映像の送受信をする制御手段を備え、
前記主装置の前記呼制御手段が、前記接続先通信相手装置から呼接続要求を受けたとき、前記主装置が、前記リモートコントロール通信手段を用いて、前記入出力装置に着信を通知するステップと、
前記入出力装置が、前記リモートコントロール通信手段を用いて、前記主装置に着信応答を返したとき、前記入出力装置の第１のアドレスを前記接続先通信相手装置に前記呼制御手段を用いて通知し、前記接続先通信相手装置の第２のアドレスを前記入出力装置に前記リモートコントロール通信手段を用いて通知し、双方の装置に音声および／または映像情報の送受信を開始させるステップとからなり、
これらのステップをもって、
前記入出力装置と前記接続先通信相手装置との間での音声および／または映像の送受信を、前記主装置を介さずに、可能とすることを特徴とする通信制御方法。
【請求項１７】
CPUとメモリを備えた主装置とともにネットワークに接続され、前記主装置とリモートコントロール通信を行う入出力装置であって、
前記主装置のリモートコントロール通信手段との間で情報を授受するリモートコントロール通信手段と、前記接続先通信相手装置との間で音声および／または映像情報の送受信をする制御手段を備え、
前記入出力装置の入力情報を、前記リモートコントロール通信手段を用いて、前記主装置に送信し、
前記主装置が、前記入力情報を受信したとき、前記呼制御手段が、前記入出力装置を前記接続先通信相手装置に呼接続し、
前記接続先通信相手装置と、前記主装置を介さずに前記ネットワークを通して音声および／または映像情報を送受信することが可能な入出力装置。
【請求項１８】
CPUとメモリを備えた主装置とともにネットワークに接続され、前記主装置とリモートコントロール通信を行う入出力装置であって、
前記主装置のリモートコントロール通信手段との間で情報を授受するリモートコントロール通信手段と、前記接続先通信相手装置との間で音声および／または映像の送受信をする制御手段を備え、
前記入出力装置が、前記主装置の前記リモートコントロール通信手段を通して着信を受けたとき、前記リモートコントロール通信手段を通して前記主装置に着信応答を返し、
前記主装置の呼制御手段が、前記入出力装置を前記接続先通信相手装置に呼接続したとき、前記接続先通信相手装置と、前記主装置を介さずに前記ネットワークを通して音声および／または映像を送受信することが可能な入出力装置。
【請求項１９】
入出力装置とともにネットワークに接続され、前記入出力装置とリモートコントロール通信を行う、CPUとメモリを備えた主装置であって、
呼接続のための呼制御手段と、前記入出力装置との間で情報を授受するリモートコントロール通信手段を備え、
前記入出力装置の入力情報を前記リモートコントロール通信手段を用いて受信したとき、前記呼制御手段を用いて前記入出力装置を前記接続先通信相手装置に呼接続し、
これをもって、前記入出力端末と前記接続先通信相手装置との間での音声および／または映像の送受信を、前記主装置を介さずに前記ネットワークを通して可能とすることを特徴とする主装置。
【請求項２０】
入出力装置とともにネットワークに接続され、前記入出力装置とリモートコントロール通信を行う、CPUとメモリを備えた主装置であって、
呼接続のための呼制御手段と、前記入出力装置との間で情報を授受するリモートコントロール通信手段を備え、
接続先通信相手装置からの呼接続要求を受けたとき、前記リモートコントロール通信手段を通して前記入出力装置に着信を通知し、
前記入出力装置からの着信応答を受けたとき、前記呼制御手段が前記接続先通信相手装置を前記入出力装置に呼接続し、
これをもって、前記入出力端末と前記接続先通信相手装置との間での音声および／または映像の送受信を、前記主装置を介さずに前記ネットワークを通して可能とすることを特徴とする主装置。
【手続補正２】
【補正対象書類名】明細書
【補正対象項目名】０００９
【補正方法】変更
【補正の内容】
【０００９】
本願発明は、ＣＰＵ、メモリを含む装置、例えばサーバとともに使用される入出力装置、例えばＴＣ端末と接続先相手装置、例えばＩＰ電話端末間の通話を、サーバを介することなく、実行することが可能なシステム、装置、方法等を提供することにある。
【手続補正３】
【補正対象書類名】明細書
【補正対象項目名】００１０
【補正方法】変更
【補正の内容】
【００１０】
本願発明は、係る課題に鑑みなされたものであり、例えばサーバ側にネットワーク上の例えば電話機等の通信端末間の呼設定（通信接続操作をもって端末間の通信接続が確立し、端末間での通信が可能にすることを意味する。以下呼接続と称する）を行なうための呼制御手段を設け、該呼制御手段とＴＣ端末との通信手段（リモート操作）とをもって、ＴＣ端末（入出力装置）と通信端末（接続先相手装置）間の呼接続を行い、しかるのち前記ＴＣ端末と前記通信端末間の通信（音声、データ、映像等）を、前記サーバを経由することなく、つまりサーバを介さず、前記ネットワークを介して実行してなる。その具体的手段は請求項に記載したとおりにある。
【手続補正４】
【補正対象書類名】明細書
【補正対象項目名】００１１
【補正方法】変更
【補正の内容】
【００１１】
本発明によれば、企業情報システムにおいて、セキュリティを確保でき、自宅や出張先でのモバイル運用をより安全に快適に行なう環境を提供することができる。また、ＣＰＵ、メモリを含む装置、例えばサーバとともに利用される端末、例えば入出力情報を扱う入出力装置に音声や映像情報の通信部を含む電話制御手段を設けることにより、該入出力装置を、例えば電話端末、ＴＶ電話端末、映像受信端末（テレビ会議端末）等としても利用することが可能となる。
【手続補正５】
【補正対象書類名】明細書
【補正対象項目名】００１５
【補正方法】変更
【補正の内容】
【００１５】
ここで、例えば、ＴＣサーバを、入出力装置を省いた構成とし、ＴＣ端末９６０を、入出力機能を有する装置とし、該装置をもって該サーバをリモートコントロール可能な構成とし、かつ該サーバ９３０を、セキュリティが確保されたエリアに設定することにより、例えばＴＣ端末９６０を外出先で紛失した場合でも、情報漏洩の可能性は極めて小さくすることができる。
【手続補正６】
【補正対象書類名】明細書
【補正対象項目名】００１６
【補正方法】変更
【補正の内容】
【００１６】
本願発明は、係るセキュリティ対策が考慮されたシステムに適用して好適で、音声や映像等の通信機能、例えば電話機能、ＴＶ電話機能、音声映像受信機能等を可能としたシステム、装置、方法に係るものである。
【手続補正７】
【補正対象書類名】明細書
【補正対象項目名】００５７
【補正方法】変更
【補正の内容】
【００５７】
また、ＰＴＣ端末１２０のモバイル利用時には、例えば、サーバ側電話制御部１１１の機能である電話プログラムを、個人の携帯電話と連携する設定とすることにより、ＰＴＣ端末１２０と携帯電話を持ち歩くスタイルが実現できる。
また、上記実施例によれば、サーバとともに利用される端末（例えば入出力情報を扱う入出力端末）に通信制御手段等を設けることにより、該端末を、例えば電話端末、ＴＶ電話端末、映像受信端末（テレビ会議端末）等としても利用することが可能となる。また、端末（入出力端末）としてデータ、情報等の保存を不可能とするように構成した端末とすることにより、端末の利用者によるアドレス帳などの個人情報やデータ等の不要な情報漏洩の危険性を無くすることが可能である。例えば、具体的には社外の出張先や自宅など、どこにいても自業務に合わせて安全に音声や映像などの通信ができるようになる。またサーバを経由することなく通信が可能であるため、サーバ処理による処理ボトルネックやネットワークトラフイックの最適化を期待することが可能である。また、端末側にデータや音声、映像等を蓄積することができないようにすることにより、映像配信サービス時の著作権保護も可能となる。